(57)【要約】【課題】被選別物が空気抵抗の影響を受けやすい粉体物あるいは軽量物であっても、該被選別物を一定の速度でかつ安定した軌道で観察部を通過させ、もって、該被選別物を良品と不良品に適正に選別することがでできる選別装置用供給装置及び供給方法を得る。【解決手段】被選別物２０を観察部の空間３１内において選別する選別装置に用いることができる選別装置用供給装置１であって、圧縮空気源からの圧縮空気を供給する圧縮空気供給部２と、圧縮空気供給部２から供給された圧縮空気を、エアー噴出口３から選別装置の観察部の空間３１に向けて噴出するエアーナイフ４とを備え、エアーナイフ４のエアー噴出口３から選別装置の観察部の空間３１に向けて噴出された圧縮空気で、被選別物２０を選別装置の観察部の空間３１に一定の速度で供給する。【選択図】  図１
2009022870.tif 000002
【特許請求の範囲】
【請求項１】
被選別物を観察部の空間内において選別する選別装置に用いることができる選別装置用供給装置であって、
圧縮空気源からの圧縮空気を供給する圧縮空気供給部と、
前記圧縮空気供給部から供給された前記圧縮空気を、エアー噴出口から前記選別装置の前記観察部の空間に向けて噴出するエアーナイフとを備え、
前記エアーナイフの前記エアー噴出口から前記選別装置の前記観察部の空間に向けて噴出された前記圧縮空気で、前記被選別物を該選別装置の該観察部の空間に一定の速度で供給することを特徴とする選別装置用供給装置。
【請求項２】
前記選別装置用供給装置は、前記エアーナイフの前記エアー噴出口から前記選別装置の前記観察部の空間に向けて噴出された前記圧縮空気の噴出方向に対して直交する方向のぶれを規制する第１の規制手段を更に備えることを特徴とする請求項１に記載の選別装置用供給装置。
【請求項３】
前記第１の規制手段は、前記噴出方向に沿って伸びた一つ以上のライン溝で構成されており、前記圧縮空気を該ライン溝に沿って前記選別装置の前記観察部の空間に向けて噴出させることを特徴とする請求項２に記載の選別装置用供給装置。
【請求項４】
前記選別装置用供給装置は、前記第１の規制手段によって規制された前記圧縮空気の前記噴出方向及び前記直交する方向の二つの方向に対して直交する方向のぶれを規制する第２の規制手段を更に備えることを特徴とする請求項２又は３に記載の選別装置用供給装置。
【請求項５】
前記第２の規制手段は、一定の間隔を隔てて配置された２枚の透明プレートで構成され、該２枚の透明プレートは、前記選別装置の前記観察部の空間内に設けられていることを特徴とする請求項４に記載の選別装置用供給装置。
【請求項６】
前記被選別物は、粉体物あるいは軽量物であることを特徴とする請求項１乃至５のうちのいずれか一つに記載の選別装置用供給装置。
【請求項７】
請求項１乃至６のうちのいずれか一つに記載の選別装置用供給装置を用いて前記被選別物を前記選別装置の前記観察部の空間に供給することを特徴とする供給方法。
【発明の詳細な説明】
【技術分野】
【０００１】
本発明は、被選別物の選別装置に適用可能な選別装置用供給装置及び供給方法に関するものであり、特に、被選別物が、でんぷん、小麦粉、青海苔、粉茶、粉砕パセリなどの粉体物あるいは軽量物である場合に有効な選別装置用供給装置及び供給方法に関するものである。
【背景技術】
【０００２】
従来において、穀類などの粒状製品の良品と不良品を選別する装置として色彩選別装置が知られている。従来の色彩選別装置としては、被選別物をシュート（樋）で供給し、該シュートから観察部の空間に放出し、該観察部の空間で被選別物に光を照射し、その反射光を受光素子で受け、その受光信号に基づいて被選別物の良、不良を判断し、不良品の場合はエジェクター（排除装置）により排除するシュート式選別装置（例えば、特許文献１参照。）や、被選別物をシュート（樋）ではなくベルトで供給するベルト式選別装置（例えば、特許文献２参照。）が知られている。
【特許文献１】特開平１１−３１４０７０号公報
【特許文献２】特開平８−２５２５４２号公報
【発明の開示】
【発明が解決しようとする課題】
【０００３】
しかしながら、従来における選別装置には、以下のような問題がある。被選別物が、でんぷん、小麦粉、青海苔、粉茶、粉砕パセリなどの粉体物あるいは軽量物である場合、これらの粉体物あるいは軽量物は、シュートあるいはベルトから放出された後、空気抵抗を受けて一定の速度でかつ安定した軌道で観察部の空間内を通過しない。すなわち、これらの被選別物が、受光素子によって受光される領域（ポイント）及びエジェクターによって排除される領域（ポイント）を一定の速度でかつ安定した軌道で通過しない。被選別物が、観察部の空間内において一定の速度でかつ安定した軌道で通過しないと、例えば、受光素子が受光信号（排除信号）を発してエジェクター（排除装置）が作動するときに、エジェクターの排除領域（ポイント）に被選別物が存在しない等の不具合が生じ、その結果、不良品を排除することができず、適正な選別を行うことができない。
【０００４】
本発明は、上述のような従来技術の問題点に鑑みてなされたものであり、被選別物が空気抵抗の影響を受けやすい粉体物あるいは軽量物であっても、該被選別物を一定の速度でかつ安定した軌道で観察部を通過させ、もって、該被選別物を良品と不良品に適正に選別することがでできる選別装置用供給装置及び供給方法を提供することを目的とする。
【課題を解決するための手段】
【０００５】
本発明は、被選別物を観察部の空間内において選別する選別装置に用いることができる選別装置用供給装置であって、圧縮空気源からの圧縮空気を供給する圧縮空気供給部と、前記圧縮空気供給部から供給された前記圧縮空気を、エアー噴出口から前記選別装置の前記観察部の空間に向けて噴出するエアーナイフとを備え、前記エアーナイフの前記エアー噴出口から前記選別装置の前記観察部の空間に向けて噴出された前記圧縮空気で、前記被選別物を該選別装置の該観察部の空間に一定の速度で供給することを特徴とする選別装置用供給装置を提供する。
【０００６】
また、前記選別装置用供給装置は、前記エアーナイフの前記エアー噴出口から前記選別装置の前記観察部の空間に向けて噴出された前記圧縮空気の噴出方向に対して直交する方向のぶれを規制する第１の規制手段を更に備えることができる。この第１の規制手段は、前記噴出方向に沿って伸びた一つ以上のライン溝で構成することができ、前記圧縮空気を該ライン溝に沿って前記選別装置の前記観察部の空間に向けて噴出させる。
【０００７】
また、前記選別装置用供給装置は、前記エアーナイフの前記エアー噴出口から前記選別装置の前記観察部の空間に向けて噴出された前記圧縮空気の前記噴出方向及び前記直交する方向の二つの方向に対して直交する方向のぶれを規制する第２の規制手段を更に備えることができる。この第２の規制手段は、一定の間隔を隔てて配置された２枚の透明プレートで構成することができ、該２枚の透明プレートは、前記選別装置の前記観察部の空間内に設けることができる。
【０００８】
また、前記被選別物は、粉体物あるいは軽量物にすることができる。
【０００９】
また、本発明は、請求項１乃至６のうちのいずれか一つに記載の選別装置用供給装置を用いて前記被選別物を前記選別装置の前記観察部の空間に供給することを特徴とする供給方法を提供する。
【発明の効果】
【００１０】
本発明によれば、被選別物が空気抵抗の影響を受けやすい粉体物あるいは軽量物であっても、該被選別物を一定の速度でかつ安定した軌道で観察部を通過させ、もって、該被選別物を良品と不良品に適正に選別することがでできる。
【発明を実施するための最良の形態】
【００１１】
以下、本発明にかかる選別装置用供給装置を実施するための最良の形態について図面を参照しながら述べる。図１には、本発明にかかる選別装置用供給装置の概略図を示している。選別装置用供給装置は、被選別物を観察部の空間内において選別する選別装置に用いられるものである。図示の選別装置は、シュート式の色彩選別装置の一例を示しており、被選別物２０をシュート（樋）３０から観察部の空間３１に放出し、観察部の空間３１内において被選別物２０を選別するものである。観察部の空間３１には、被選別物２０に光を照射するための光源３２と、被選別物２０の背景の明るさを調整するため背景板３３と、被選別物２０から反射された光を受光する光センサ３４と、被選別物２０の不良品を排除する噴射ノズル３５とが主に配置されている。
【００１２】
図１及び図２に示すように、選別装置用供給装置１は、図示しない圧縮空気源からの圧縮空気を供給する圧縮空気供給部２と、圧縮空気供給部２から供給された圧縮空気を、エアー噴出口３から選別装置の観察部の空間３１に向けて噴出するエアーナイフ４とを備えている。そして、選別装置のシュート３０で供給された被選別物２０は、エアーナイフ４のエアー噴出口３から選別装置の観察部の空間３１に向けて噴出された圧縮空気によって、観察部の空間３１に一定の速度で供給されるようになっている。
【００１３】
圧縮空気供給部２によってエアーナイフ４に供給された圧縮空気源からの圧縮空気は、
エアーナイフ４の内部に形成されたチャンバー４ａに充満し、そして細長い隙間で形成されたエアー噴出口３から噴出する。圧縮空気は、エアー噴出口３から噴出される際、周囲の空気を引き込む（巻き込む）ことによって強力なエアーブロー（エアーカーテン）を形成して観察部の空間３１に向けて噴出され、この圧縮空気によって選別装置のシュート３０で供給された被選別物２０は、観察部の空間３１に一定の速度で供給される。
【００１４】
選別装置用供給装置１は、エアーナイフ４のエアー噴出口３から観察部の空間３１に向けて噴出された圧縮空気の噴出方向に対して直交する方向のぶれを規制する第１の規制手段を更に備えている。第１の規制手段は、噴出方向に沿って伸びた一つ以上のライン溝５で構成されており、エアー噴出口３から噴出された圧縮空気をこのライン溝５に沿って観察部の空間３１に向けて噴出させることにより、圧縮空気の噴出方向に対して直交する方向（図１において紙面に対して垂直な方向であり図２（ｂ）において符号６で示す左右方向、以下「第１直交方向」という）のぶれを規制して該圧縮空気を観察部の空間３１に向けて噴出させることができ、もって、この圧縮空気によって観察部の空間３１に供給される被選別物２０の第１直交方向のぶれを規制し、安定した軌道で被選別物２０を観察部の空間３１に供給することができる。
【００１５】
また、選別装置用供給装置１は、第１の規制手段によって規制された圧縮空気の噴出方向及び第１直交方向の二つの方向に対して直交する方向のぶれを規制する第２の規制手段を更に備えている。第２の規制手段は、一定の間隔を隔てて配置された２枚の透明プレート７で構成されており、該２枚の透明プレート７は、観察部の空間３１内に設けられている。上述のように、第１直交方向のぶれが規制されて観察部の空間３１に噴射された圧縮空気は、観察部の空間３１内において２枚の透明プレート７間を通過するようになっており、これによって、圧縮空気の噴出方向及び第１直交方向の二つの方向に対して直交する方向（図１において符号８で示す左右方向であり図２（ｂ）において符号９で示す方向、以下「第２直交方向」という）のぶれを規制して該圧縮空気を観察部の空間３１内において直進的に噴射させることができ、もって、この圧縮空気によって供給される被選別物２０の第１直交方向及び第２直交方向の双方向のぶれを規制し、直進的でかつ安定した軌道で被選別物２０を観察部の空間３１内を通過させることができる。
【００１６】
被選別物２０は、２枚の透明プレート７間を通過する際に、この透明プレート７を介して観察され、良、不良の選別が行われる。具体的に説明すると、被選別物２０は、２枚の透明プレート７間を通過中に光源３２で照射され、この反射光が光センサ３４で受光され、その受光信号に基づいて被選別物２０の良、不良が図示しない制御部で判断されて、不良品の場合は、被選別物２０が２枚の透明プレート７間を通過した後に噴射ノズル３５によって弾き飛ばされて排除される。
【００１７】
以上のように、被選別部２０は、選別装置用供給装置１の圧縮空気によって一定の速度でかつ安定した軌道で観察部を通過するようになっているため、特に、被選別物が、でんぷん、小麦粉、青海苔、粉茶、粉砕パセリなどの空気抵抗の影響を受けやすい粉体物あるいは軽量物であっても、良品と不良品に適正に選別することがでできる。
【図面の簡単な説明】
【００１８】
【図１】図１は、本発明にかかる選別装置用供給装置の実施の形態を示す概略図である。
【図２】図２（ａ）は、選別装置用供給装置の上面図、図２（ｂ）は、その正面図である。
【符号の説明】
【００１９】
１    選別装置用供給装置
２    圧縮空気供給部
３    エアー噴出口
４    エアーナイフ
４ａ  チャンバー
５    ライン溝
７    透明プレート
２０    被選別物
３０    シュート
３１    空間
３２    光源
３３    背景板
３４    光センサ
３５    噴射ノズル
【図１】
2009022870.tif 000003
【図２】
2009022870.tif 000004